【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
心臓活性化情報を再構築する方法において、
計算装置により、分析心臓信号及び参照心臓信号を処理することであって、それにより、前記参照心臓信号の第１の選択次導関数に関して前記分析心臓信号の第１の選択次導関数に、第１の閾値を超える第１の変化点があるか否かを判断する、処理することと、
前記計算装置により、前記分析心臓信号及び前記参照心臓信号を処理することであって、それにより、前記参照心臓信号の第２の選択次導関数に関して前記分析心臓信号の第２の選択次導関数に、第２の閾値を超える第２の変化点があるか否かを判断する、処理することと、
前記第１の変化点が前記第１の閾値を超えること及び前記第２の変化点が前記第２の閾値を超えることのうちの少なくとも一方が判断される場合、前記第１の変化点及び前記第２の変化点の数学的関連に基づいて、活性化開始時間を前記分析心臓信号内のポイントに割り当てることであって、それにより、前記分析心臓信号内の拍動を示す心臓活性化を定義する、割り当てることと、
を含むことを特徴とする方法。
【請求項２】
請求項１に記載の方法において、
前記数学的関連が、前記分析心臓信号に関連して処理される参照心臓信号からの大半を表す前記第１の変化点及び前記第２の変化点の平均であり、前記第１の変化点が前記第１の閾値を超え、前記第２の変化点が前記第２の閾値を超えることを特徴とする方法。
【請求項３】
請求項２に記載の方法において、
前記第１の変化点及び前記第２の変化点が、互いの所定の時間間隔内にあることを特徴とする方法。
【請求項４】
請求項２に記載の方法において、
前記所定の時間間隔が±５ｍｓであることを特徴とする方法。
【請求項５】
請求項１に記載の方法において、
前記数学的関連は、前記分析心臓信号に関連して処理される参照心臓信号からの複数を表す前記第１の変化点及び前記第２の変化点の平均であり、前記第１の変化点が前記第１の閾値を超え、前記第２の変化点が前記第２の閾値を超えることを特徴とする方法。
【請求項６】
請求項５に記載の方法において、
前記第１の変化点及び前記第２の変化点が、互いの所定の時間間隔内にあることを特徴とする方法。
【請求項７】
請求項６に記載の方法において、
前記所定の時間間隔が±５ｍｓであることを特徴とする方法。
【請求項８】
請求項１に記載の方法において、
前記数学的関連が、前記第１の変化点及び前記第２の変化点のうちの一方の選択であることを特徴とする方法。
【請求項９】
請求項８に記載の方法において、
前記第１の変化点が前記第１の閾値を超え、前記第２の変化点が前記第２の閾値を超え、前記選択が、
前記第１の変化点から前記第１の閾値を差し引いた第１の差分値を計算することと、
前記第２の変化点から前記第２の閾値を差し引いた第２の差分値を計算することと、
前記第１の差分値及び前記第２の差分値の中からの最高の差分値に基づいて、前記第１の変化点及び前記第２の変化点のうちの一方を選択することと、
を含むことを特徴とする方法。
【請求項１０】
請求項８に記載の方法において、
前記選択が、関連付けられた閾値を超える最高の選択次導関数に基づくことを特徴とする方法。
【請求項１１】
請求項１に記載の方法において、
前記第１の変化点及び前記第２の変化点が、前記分析心臓信号及び前記参照心臓信号について概ね同時点で特定されることを特徴とする方法。
【請求項１２】
請求項１に記載の方法において、
前記第１の変化点及び前記第２の変化点が、前記分析心臓信号及び前記参照心臓信号の傾き、振幅、タイミング、及び形状のうちの１つ又は複数から特定されることを特徴とする方法。
【請求項１３】
請求項１に記載の方法において、
前記第１の変化点を特定することが、
前記分析心臓信号及び前記参照心臓信号から、複合心臓信号を形成することと、
前記分析心臓信号内の複数のポイントでの比率比を特定することであって、各比率値が、前記分析心臓信号の前記第１の選択次導関数と前記複合心臓信号の前記第１の選択次導関数との差分に対する、前記参照心臓信号の前記第１の選択次導関数と前記複合心臓信号の第１の選択次導関数との差分を表す、特定することと、
前記特定される比率比からの最大の比率値を有するポイントを、前記分析心臓信号内の前記第１の変化点として選択することと、
を含むことを特徴とする方法。
【請求項１４】
請求項１に記載の方法において、
前記第２の変化点を特定することが、
前記分析心臓信号及び前記参照心臓信号から、複合心臓信号を形成することと、
前記分析心臓信号内の複数のポイントでの比率比を特定することであって、各比率値が、前記分析心臓信号の前記第２の選択次導関数と前記複合心臓信号の前記第２の選択次導関数との差分に対する、前記参照心臓信号の前記第２の選択次導関数と前記複合心臓信号の第２の選択次導関数との差分を表す、特定することと、
前記特定される比率比からの最大の比率値を有するポイントを、前記分析心臓信号内の前記第２の変化点として選択することと、
を含むことを特徴とする方法。
【請求項１５】
請求項１に記載の方法において、
前記第１の閾値及び前記第２の閾値が、前記分析心臓信号及び前記参照心臓信号に関連付けられた雑音レベルよりも高いことを特徴とする方法。
【請求項１６】
請求項１５に記載の方法において、
前記雑音レベル以下の前記第１の変化点及び前記第２の変化点に、心臓、呼吸系、消化管、神経系、及び電子干渉からの１つ又は複数の信号が関連付けられることを特徴とする方法。
【請求項１７】
請求項１に記載の方法において、
前記第１の閾値を超える第１の変化点がなく、且つ前記第２の閾値を超える第２の変化点がないと判断される場合、前記分析心臓信号の少なくとも１つの特性を心臓信号の一覧内の参照心臓信号の少なくとも１つの特性と照合することと、
前記分析心臓信号の活性化開始時間を、前記一覧内の前記参照心臓信号の活性化開始時間として割り当てることであって、それにより、前記分析心臓信号内の拍動を示す心臓活性化を定義する、割り当てることと、
を更に含むことを特徴とする方法。
【請求項１８】
請求項１に記載の方法において、
処理すること及び割り当てることを実行することであって、それにより、前記分析心臓信号内の拍動を示す複数の心臓活性化を定義する、実行することを更に含むことを特徴とする方法。
【請求項１９】
請求項１に記載の方法において、
複数の心臓信号から前記分析心臓信号及び前記参照心臓信号を反復的に選択することを更に含むことを特徴とする方法。
【請求項２０】
請求項１に記載の方法において、
複数の心臓信号から心臓信号対を反復的に選択することであって、各対が、分析心臓信号及び異なる参照心臓信号を有する、選択することと、
処理すること及び割り当てることを前記各対に対して実行することであって、それにより、前記各対内の前記分析心臓信号の拍動を示す関連付けられた複数の心臓活性化を定義する、実行することと、
前記複数の心臓信号からの心臓活性化が割り当てられた活性化開始時間に基づいて、心臓活性化パターンを再構築することであって、それにより、心調律異常のソースを示す、再構築することと、
を更に含むことを特徴とする方法。
【請求項２１】
心臓活性化情報を再構築するシステムにおいて、
少なくとも１つの計算装置を備え、前記少なくとも１つの計算装置は、
分析心臓信号及び参照心臓信号を処理することであって、それにより、前記参照心臓信号の第１の選択次導関数に関して前記分析心臓信号の第１の選択次導関数に、第１の閾値を超える第１の変化点があるか否かを判断する、処理することと、
前記分析前記分析心臓信号及び前記参照心臓信号を処理することであって、それにより、前記参照心臓信号の第２の選択次導関数に関して前記分析心臓信号の第２の選択次導関数に、第２の閾値を超える第２の変化点があるか否かを判断する、処理することと、
前記第１の変化点が前記第１の閾値を超えること及び前記第２の変化点が前記第２の閾値を超えることのうちの少なくとも一方が判断される場合、前記第１の変化点及び前記第２の変化点の数学的関連に基づいて、活性化開始時間を前記分析心臓信号内のポイントに割り当てることであって、それにより、前記分析心臓信号内の拍動を示す心臓活性化を定義する、割り当てることと、
を実行するように構成されることを特徴とするシステム。
【請求項２２】
請求項２１に記載のシステムにおいて、
前記数学的関連が、前記分析心臓信号に関連して処理される参照心臓信号からの大半を表す前記第１の変化点及び前記第２の変化点の平均であり、前記第１の変化点が前記第１の閾値を超え、前記第２の変化点が前記第２の閾値を超えることを特徴とするシステム。
【請求項２３】
請求項２２に記載のシステムにおいて、
前記第１の変化点及び前記第２の変化点が、互いの所定の時間間隔内にあることを特徴とするシステム。
【請求項２４】
請求項２３に記載のシステムにおいて、
前記所定の時間間隔が±５ｍｓであることを特徴とするシステム。
【請求項２５】
請求項２１に記載のシステムにおいて、
前記数学的関連は、前記分析心臓信号に関連して処理される参照心臓信号からの複数を表す前記第１の変化点及び前記第２の変化点の平均であり、前記第１の変化点が前記第１の閾値を超え、前記第２の変化点が前記第２の閾値を超えることを特徴とするシステム。
【請求項２６】
請求項２５に記載のシステムにおいて、
前記第１の変化点及び前記第２の変化点が、互いの所定の時間間隔内にあることを特徴とするシステム。
【請求項２７】
請求項２６に記載のシステムにおいて、
前記所定の時間間隔が±５ｍｓであることを特徴とするシステム。
【請求項２８】
請求項２１に記載のシステムにおいて、
前記数学的関連が、前記第１の変化点及び前記第２の変化点のうちの一方の選択であることを特徴とするシステム。
【請求項２９】
請求項２８に記載のシステムにおいて、
前記第１の変化点が前記第１の閾値を超え、前記第２の変化点が前記第２の閾値を超え、少なくとも１つの計算装置が、
前記第１の変化点から前記第１の閾値を差し引いた第１の差分値を計算することと、
前記第２の変化点から前記第２の閾値を差し引いた第２の差分値を計算することと、
前記第１の差分値及び前記第２の差分値の中からの最高の差分値に基づいて、前記第１の変化点及び前記第２の変化点のうちの一方を選択することと、
を実行するように更に構成されることを特徴とするシステム。
【請求項３０】
請求項２８に記載のシステムにおいて、
前記選択が、関連付けられた閾値を超える最高の選択次導関数に基づくことを特徴とするシステム。
【請求項３１】
請求項２１に記載のシステムにおいて、
前記第１の変化点及び前記第２の変化点が、前記分析心臓信号及び前記参照心臓信号について概ね同時点で特定されることを特徴とするシステム。
【請求項３２】
請求項２１に記載のシステムにおいて、
前記第１の変化点及び前記第２の変化点が、前記分析心臓信号及び前記参照心臓信号の傾き、振幅、タイミング、及び形状のうちの１つ又は複数から特定されることを特徴とするシステム。
【請求項３３】
請求項２１に記載のシステムにおいて、
少なくとも１つの計算装置が、
前記分析心臓信号及び前記参照心臓信号から、複合心臓信号を形成することと、
前記分析心臓信号内の複数のポイントでの比率比を特定することであって、各比率値が、前記分析心臓信号の前記第１の選択次導関数と前記複合心臓信号の前記第１の選択次導関数との差分に対する、前記参照心臓信号の前記第１の選択次導関数と前記複合心臓信号の第１の選択次導関数との差分を表す、特定することと、
前記特定される比率比からの最大の比率値を有するポイントを、前記分析心臓信号内の前記第１の変化点として選択することと、
を実行するように更に構成されることを特徴とするシステム。
【請求項３４】
請求項２１に記載のシステムにおいて、
少なくとも１つの計算装置が、
前記分析心臓信号及び前記参照心臓信号から、複合心臓信号を形成することと、
前記分析心臓信号内の複数のポイントでの比率比を特定することであって、各比率値が、前記分析心臓信号の前記第２の選択次導関数と前記複合心臓信号の前記第２の選択次導関数との差分に対する、前記参照心臓信号の前記第２の選択次導関数と前記複合心臓信号の第２の選択次導関数との差分を表す、特定することと、
前記特定される比率比からの最大の比率値を有するポイントを、前記分析心臓信号内の前記第２の変化点として選択することと、
を実行するように更に構成されることを特徴とするシステム。
【請求項３５】
請求項２１に記載のシステムにおいて、
前記第１の閾値及び前記第２の閾値が、前記分析心臓信号及び前記参照心臓信号に関連付けられた雑音レベルよりも高いことを特徴とするシステム。
【請求項３６】
請求項３５に記載のシステムにおいて、
前記雑音レベル以下の前記第１の変化点及び前記第２の変化点に、心臓、呼吸系、消化管、神経系、及び電子干渉からの１つ又は複数の信号が関連付けられることを特徴とするシステム。
【請求項３７】
請求項２１に記載のシステムにおいて、
少なくとも１つの計算装置が、
前記第１の閾値を超える第１の変化点がなく、且つ前記第２の閾値を超える第２の変化点がないと判断される場合、前記分析心臓信号の少なくとも１つの特性を心臓信号の一覧内の参照心臓信号の少なくとも１つの特性と照合することと、
前記分析心臓信号の活性化開始時間を、前記一覧内の前記参照心臓信号の活性化開始時間として割り当てることであって、それにより、前記分析心臓信号内の拍動を示す心臓活性化を定義する、割り当てることと、
を実行するように更に構成されることを特徴とするシステム。
【請求項３８】
請求項２１に記載のシステムにおいて、
少なくとも１つの計算装置が、
処理すること及び割り当てることを実行することであって、それにより、前記分析心臓信号内の拍動を示す複数の心臓活性化を定義する、実行することを実行するように更に構成されることを特徴とするシステム。
【請求項３９】
請求項２１に記載のシステムにおいて、
少なくとも１つの計算装置が、
複数の心臓信号から前記分析心臓信号及び前記参照心臓信号を反復的に選択することを実行するように更に構成されることを特徴とするシステム。
【請求項４０】
請求項２１に記載のシステムにおいて、
少なくとも１つの計算装置が、
複数の心臓信号から心臓信号対を反復的に選択することであって、各対が、分析心臓信号及び異なる参照心臓信号を有する、選択することと、
処理すること及び割り当てることを前記各対に対して実行することであって、それにより、前記各対内の前記分析心臓信号の拍動を示す関連付けられた複数の心臓活性化を定義する、実行することと、
前記複数の心臓信号からの心臓活性化が割り当てられた活性化開始時間に基づいて、心臓活性化パターンを再構築することであって、それにより、心調律異常のソースを示す、再構築することと、
を実行するように更に構成されることを特徴とするシステム。